(57)【要約】【課題】受信中の放送チャネルの放送エリアからの離脱時における受信チャネルの切り替えをすみやかに行う「放送受信機」を提供する。【解決手段】放送局「ＭＨＫ総合 東京」の放送の受信不良（５０１）が発生したならば、同じ放送を行っている他の中継局のサーチを行い（５０２）、失敗しならば、同系列の他の放送局のサーチを行って（５０３）、同系列の放送局「ＭＨＫ総合 水戸」に受信する放送局を切り替え（５０４）、スキップフラグをオンに設定する。ユーザのプリセット番号２の指示操作（５０５）が発生したときに、スキップフラグがオンに設定されている場合には、即座に、プリセット番号２に登録されている「ＭＨＫ教育 東京」と同系列の他の放送局である系列局のサーチを行って（５０６）、同系列の放送局「ＭＨＫ教育 水戸」に、受信する放送局を切り替える（５０７）。【選択図】図５
2014022910.tif 000002
【特許請求の範囲】
【請求項１】
同じ番組供給系列に属する各放送局の放送が地域毎に異なる周波数チャネルで放送される放送システムに適用される、移動体に搭載される放送受信機であって、
受信中の周波数チャネルに受信不良が生じた場合に、受信中の周波数チャネルと同じ放送局の放送が行われている受信状態が良好な周波数チャネルである中継局チャネルを探索し、当該中継局チャネルの探索が成功した場合に当該探索された中継局チャネルに、受信する周波数チャネルを切り替える中継局サーチ処理を行い、当該中継局サーチ処理において前記中継局チャネルの探索が失敗した場合に、受信中の周波数チャネルの放送局と同じ番組供給系列に属する放送局の放送が行われている受信状態が良好な周波数チャネルである系列局チャネルを探索し、当該系列局チャネルの探索が成功した場合に当該探索された前記系列局チャネルに、受信する周波数チャネルを切り替える系列局サーチ処理を行う受信制御手段と、
放送を受信する周波数チャネルの、ユーザが指定した周波数チャネルである指定周波数チャネルへの切り替えをユーザから指示されたときに、以前に前記受信制御手段の前記系列局サーチ処理によって前記系列局チャネルへの受信する周波数チャネルの切り替えが行われていない場合には、前記指定周波数チャネルへの受信する周波数チャネルの切り替えを行い、以前に前記受信制御手段の前記系列局サーチ処理によって前記系列局チャネルへの受信する周波数チャネルの切り替えが行われている場合には、前記指定周波数チャネルの放送と同じ番組供給系列に属する放送局の放送が行われている受信状態が良好な周波数チャネルである系列局チャネルを探索し、当該系列局チャネルの探索が成功した場合に、当該探索された系列局チャネルに受信する周波数チャネルを切り替える系列局先行サーチ処理を行うチャネル切替制御手段とを有することを特徴とする放送受信機。
【請求項２】
請求項１記載の放送受信機であって、
前記チャネル切替制御手段は、前記指定周波数チャネルへの切り替えをユーザから指示されたときに、以前に前記受信制御手段の前記系列局サーチ処理によって前記系列局チャネルへの受信する周波数チャネルの切り替えが行われている場合であっても、前記指定周波数チャネルが、過去最後に行われた前記受信制御手段の前記系列局サーチ処理による前記系列局チャネルへの受信する周波数チャネルの切り替え以降に、当該チャネル切替制御手段による前記系列局先行サーチ処理によって前記系列局チャネルとして探索され受信する周波数チャネルとされた周波数チャネルと同じ放送局の周波数チャネルである更新済放送局チャネルである場合には、前記系列局先行サーチ処理を行わずに、前記指定周波数チャネルへの受信する周波数チャネルの切り替えを行うことを特徴とする放送受信機。
【請求項３】
請求項１記載の放送受信機であって、
複数のプリセット番号の各々に対して周波数チャネルを登録したプリセットテーブルと、
ユーザからのプリセット番号の指定を、指定されたプリセット番号に対して前記プリセットテーブルに登録されている周波数チャネルを前記指定周波数チャネルとする、放送を受信する周波数チャネルの指示として受け付ける指示受け付け手段とを有し、
前記受信制御手段は、
前記中継局サーチ処理において前記中継局チャネルへの受信する周波数チャネルの切り替えを行った場合、及び、前記系列局サーチ処理において前記系列局チャネルへの受信する周波数チャネルの切り替えを行った場合に、前記プリセットテーブルに登録されている当該切り替え前に受信中であった周波数チャネルを、当該切り替え後の周波数チャネルに更新し、
前記チャネル切替制御手段は、
前記系列局先行サーチ処理において前記系列局チャネルへの受信する周波数チャネルの切り替えを行った場合に、前記ユーザから指定されたプリセット番号に対して前記プリセットテーブルに登録されている周波数チャネルを、当該切り替え後の周波数チャネルに更新するとともに、
前記指定周波数チャネルへの切り替えをユーザから指示されたときに、以前に前記受信制御手段の前記系列局サーチ処理によって前記系列局チャネルへの受信する周波数チャネルの切り替えが行われている場合であっても、ユーザから指定されたプリセット番号に対して登録されている周波数チャネルが、過去最後に行われた前記受信制御手段の前記系列局サーチ処理による前記系列局チャネルへの受信する周波数チャネルの切り替え以降に、当該チャネル切替制御手段によって更新されている場合には、前記系列局先行サーチ処理を行わずに、前記指定周波数チャネルへの受信する周波数チャネルの切り替えを行うことを特徴とする放送受信機。
【請求項４】
請求項３記載の放送受信機であって、
ユーザに対して出力する放送の受信に用いるフォアグランドチューナとして用いるチューナと、バックグランドチューナとして用いるチューナとを含む、各々一つの周波数チャネルを受信可能な複数のチューナを有し、
前記受信制御手段は、前記フォアグランドチューナで受信中の放送に受信不良が生じた場合に、前記中継局サーチ処理における前記探索と前記系列局サーチ処理における前記探索とを、前記バックグランドチューナを用いて行い、
前記チャネル切替制御手段は、前記系列局先行サーチ処理における前記探索を、前記フォアグランドチューナを用いて行い、
かつ、前記チャネル切替制御手段は、前記受信制御手段の前記系列局サーチ処理によって前記系列局チャネルへの受信する周波数チャネルの切り替えが行われた後に、最初に前記ユーザから放送を受信する周波数チャネルの切り替えを指示されたときに、前記バックグランドチューナを用いて受信状態が良好な周波数チャネルを探索し、前記プリセットテーブルにおいて各プリセット番号に対して登録されている周波数チャネルの各々を、探索した受信状態が良好な周波数チャネルに更新するスキャン処理を行うことを特徴とする放送受信機。
【発明の詳細な説明】
【技術分野】
【０００１】
本発明は、放送受信機において、受信中の放送チャネルの受信状態が悪化したときに、受信する放送チャネルを切り替える技術に関するものである。
【背景技術】
【０００２】
放送受信機において、受信中の放送チャネルの受信状態が悪化したときに、受信する放送チャネルを切り替える技術としては、地上デジタルテレビ放送を受信する受信機において、受信中の放送チャネルの受信状態が悪化したときに、まず、受信中の放送チャネルを放送している放送局と同じ放送を行っている他の中継局の放送チャネルをサーチし、他の中継局の放送チャネルを発見できた場合には、発見した放送チャネルに受信する放送チャネルを切り替え、他の中継局の放送チャネルを発見できなかった場合に、受信中の放送チャネルを放送している放送局と同系列の放送局の放送チャネルをサーチし、同系列の放送局の放送チャネルを発見できた場合には、発見した放送チャネルに受信する放送チャネルを切り替える技術が知られている（たとえば、特許文献１）。
【先行技術文献】
【特許文献】
【０００３】
【特許文献１】特開２００９-１８８８８０号公報
【発明の概要】
【発明が解決しようとする課題】
【０００４】
上述した受信中の放送チャネルの受信状態が悪化したときに、受信中の放送局の中継局、受信中の放送局と同系列の放送局の順番に放送チャネルをサーチする技術によれば、受信状態の悪化の判定に要する時間をＴ１、中継局の放送チャネルのサーチに要する時間をＴ２、同系列の放送局の放送チャネルのサーチに要する時間をＴ３として、受信する放送チャネルの変更を指示されたときに、当該放送チャネルを放送している放送局の放送エリア内に位置していない場合には、受信する放送チャネルの切り替えに必ず、Ｔ１+Ｔ２+Ｔ３によって表される比較的長い時間を要することとなる。
【０００５】
そこで、本発明は、受信する放送チャネルの変更を指示されたときに、当該放送チャネルを放送している放送局の放送エリア内に位置していない場合における受信する放送チャネルの切り替えを、よりすみやかに行えるようにすることを課題とする。
【課題を解決するための手段】
【０００６】
前記課題達成のために、本発明は、同じ番組供給系列に属する各放送局の放送が地域毎に異なる周波数チャネルで放送される放送システムに適用される、移動体に搭載される放送受信機に、受信中の周波数チャネルに受信不良が生じた場合に、受信中の周波数チャネルと同じ放送局の放送が行われている受信状態が良好な周波数チャネルである中継局チャネルを探索し、当該中継局チャネルの探索が成功した場合に当該探索された中継局チャネルに、受信する周波数チャネルを切り替える中継局サーチ処理を行い、当該中継局サーチ処理において前記中継局チャネルの探索が失敗した場合に、受信中の周波数チャネルの放送局と同じ番組供給系列に属する放送局の放送が行われている受信状態が良好な周波数チャネルである系列局チャネルを探索し、当該系列局チャネルの探索が成功した場合に当該探索された前記系列局チャネルに、受信する周波数チャネルを切り替える系列局サーチ処理を行う受信制御手段と、放送を受信する周波数チャネルの、ユーザが指定した周波数チャネルである指定周波数チャネルへの切り替えをユーザから指示されたときに、以前に前記受信制御手段の前記系列局サーチ処理によって前記系列局チャネルへの受信する周波数チャネルの切り替えが行われていない場合には、前記指定周波数チャネルへの受信する周波数チャネルの切り替えを行い、以前に前記受信制御手段の前記系列局サーチ処理によって前記系列局チャネルへの受信する周波数チャネルの切り替えが行われている場合には、前記指定周波数チャネルの放送と同じ番組供給系列に属する放送局の放送が行われている受信状態が良好な周波数チャネルである系列局チャネルを探索し、当該系列局チャネルの探索が成功した場合に、当該探索された系列局チャネルに受信する周波数チャネルを切り替える系列局先行サーチ処理を行うチャネル切替制御手段とを備えたものである。
【０００７】
このような放送受信機では、受信不良の発生、及び、中継局サーチ処理における探索の失敗時に実行される系列局サーチ処理によって受信中の放送局の系列局への切り替えが一度発生した以降は、ユーザから受信する周波数チャネルの切り替えを指示された時点で、即座に切り替え先の周波数チャネルの放送局についての系列局を探索する系列局先行サーチ処理が開始される。ここで、放送局の受信中に受信不良及び中継局の探索の失敗が発生して放送局が他の系列局に切り替えられた場合は、移動体が放送エリア間を移動したことが確実に見込める場合であり、したがって、それまで受信できていた他の周波数チャネル、よって、一般的に、ユーザが受信する周波数チャネルの切り替え指示時に切り替え先に指定する周波数チャネルについても、その放送局の放送エリア外に移動しており、当該周波数チャネルの受信を行っても、受信不良が生じ、中継局サーチの探索も失敗する蓋然性が大きい。
【０００８】
よって、本発明によれば、系列局サーチ処理によって受信中の放送局の系列局への切り替えが一度発生した以降において、周波数チャネルへの受信する周波数チャネルへの切り替えを指示された際に、受信不良の検出や中継局サーチ処理に時間を要することなく、ユーザが切り替え先に指定した周波数チャネルの放送局の系列局の受信を、よりすみやかに開始できるようになる。
【０００９】
ここで、以上の放送受信機は、より具体的には、前記チャネル切替制御手段において、前記指定周波数チャネルへの切り替えをユーザから指示されたときに、以前に前記受信制御手段の前記系列局サーチ処理によって前記系列局チャネルへの受信する周波数チャネルの切り替えが行われている場合であっても、前記指定周波数チャネルが、過去最後に行われた前記受信制御手段の前記系列局サーチ処理による前記系列局チャネルへの受信する周波数チャネルの切り替え以降に、当該チャネル切替制御手段による前記系列局先行サーチ処理によって前記系列局チャネルとして探索され受信する周波数チャネルとされた周波数チャネルと同じ放送局の周波数チャネルである更新済放送局チャネルである場合には、前記系列局先行サーチ処理を行わずに、前記指定周波数チャネルへの受信する周波数チャネルの切り替えを行うように構成してもよい。
【００１０】
また、以上の放送受信機は、より具体的には、複数のプリセット番号の各々に対して周波数チャネルを登録したプリセットテーブルと、ユーザからのプリセット番号の指定を、指定されたプリセット番号に対して前記プリセットテーブルに登録されている周波数チャネルを前記指定周波数チャネルとする、放送を受信する周波数チャネルの切り替えの指示として受け付ける切り替え指示受け付け手段とを設け、前記受信制御手段において、前記中継局サーチ処理において前記中継局チャネルへの受信する周波数チャネルの切り替えを行った場合、及び、前記系列局サーチ処理において前記系列局チャネルへの受信する周波数チャネルの切り替えを行った場合に、前記プリセットテーブルに登録されている当該切り替え前に受信中であった周波数チャネルを、当該切り替え後の周波数チャネルに更新し、前記チャネル切替制御手段において、前記系列局先行サーチ処理において前記系列局チャネルへの受信する周波数チャネルの切り替えを行った場合に、前記ユーザから指定されたプリセット番号に対して前記プリセットテーブルに登録されている周波数チャネルを、当該切り替え後の周波数チャネルに更新すると共に、前記系列局先行サーチ処理において前記系列局チャネルへの受信する周波数チャネルの切り替えを行った場合に、前記ユーザから指定されたプリセット番号に対して前記プリセットテーブルに登録されている周波数チャネルを、当該切り替え後の周波数チャネルに更新すると共に、前記指定周波数チャネルへの切り替えをユーザから指示されたときに、以前に前記受信制御手段の前記系列局サーチ処理によって前記系列局チャネルへの受信する周波数チャネルの切り替えが行われている場合であっても、ユーザから指定されたプリセット番号に対して登録されている周波数チャネルが、過去最後に行われた前記受信制御手段の前記系列局サーチ処理による前記系列局チャネルへの受信する周波数チャネルの切り替え以降に、当該チャネル切替制御手段によって更新されている場合には、前記系列局先行サーチ処理を行わずに、前記指定周波数チャネルへの受信する周波数チャネルの切り替えを行うように構成してもよい。
【００１１】
また、この場合には、当該放送受信機に、ユーザに対して出力する放送の受信に用いるフォアグランドチューナとして用いるチューナと、バックグランドチューナとして用いるチューナとを含む、各々一つの周波数チャネルを受信可能な複数のチューナを設け、前記受信制御手段において、前記フォアグランドチューナで受信中の放送に受信不良が生じた場合に、前記中継局サーチ処理における前記探索と前記系列局サーチ処理における前記探索とを、前記バックグランドチューナを用いて行い、前記チャネル切替制御手段は、前記系列局先行サーチ処理における前記探索を、前記フォアグランドチューナを用いて行うと共に、前記チャネル切替制御手段において、前記受信制御手段の前記系列局サーチ処理によって前記系列局チャネルへの受信する周波数チャネルの切り替えが行われた後に、最初に前記ユーザから放送を受信する周波数チャネルの切り替えを指示されたときに、前記バックグランドチューナを用いて受信状態が良好な周波数チャネルを探索し、前記プリセットテーブルにおいて各プリセット番号に対して登録されている周波数チャネルの各々を、探索した受信状態が良好な周波数チャネルに更新するスキャン処理を行うように構成してもよい。
【００１２】
このようにすることにより、受信中の放送局の系列局への切り替えが一度発生した後の最初の、放送を受信する周波数チャネルの切り替えの指示を受けた時点において行われるスキャン処理によって、前記プリセットテーブルにおいて各プリセット番号に対して登録されている周波数チャネルは良好に受信可能な周波数チャネルに更新されるので、以降の切り替えの指示に応じた受信周波数チャネルの切り替えが、系列局先行サーチ処理を要することなくすみやかに行えるようになる。
【発明の効果】
【００１３】
以上のように、本発明によれば、受信する放送チャネルの変更を指示されたときに、当該放送チャネルを放送している放送局の放送エリア内に位置していない場合における受信する放送チャネルの切り替えを、よりすみやかに行うことができる。
【図面の簡単な説明】
【００１４】
【図１】本発明の実施形態に係る放送受信機の構成を示すブロック図である。
【図２】本発明の実施形態に係るプリセットテーブルとスキップフラグテーブルとを示す図である。
【図３】本発明の実施形態に係る受信制御処理と受信チャネル切替処理を示すフローチャートである。
【図４】本発明の実施形態に係る中継局サーチ処理と系列局サーチ処理を示すフローチャートである。
【図５】本発明の実施形態に係る受信制御処理の処理例を示す図である。
【図６】本発明の実施形態に係る受信チャネル切替処理とバックグランドスキャン処理を示すフローチャートである。
【図７】本発明の実施形態に係る受信制御処理の処理例を示す図である。
【発明を実施するための形態】
【００１５】
以下、本発明の実施形態について、自動車に搭載され、地上波デジタルＴＶ放送を受信する放送受信機への適用を例にとり説明する。
図１に、本実施形態に係る放送受信機の構成を示す。
図示するように、放送受信機は、アンテナ１、フロントエンド部２、復調部３、ビデオデコーダ４、出力処理部５、アンプやスピーカなどを備えた音声出力装置６、表示装置７、入力装置８、制御部９、メモリ１０を備えている。
このような構成において、フロントエンド部２は、制御部９から受信チャネルとして指定された周波数チャネルを受信し、受信信号を復調部３に出力する。復調部３は、入力する受信信号に対してOFDM復調やビタビ復号などの復調／復号処理を行ってTS（Transport Stream）を復元し、ビデオデコーダ４に送ると共に、NIT(Network Information Table)やBIT(Broadcaster Information Table)を復元し制御部９に送る。
【００１６】
ビデオデコーダ４は、TSの、制御部９から指定されたPID(Packet Identification)のTSP（Transport Stream Packet）をデコードする。そして、デコードした映像信号と音声信号とを出力処理部５に出力し、デコードした各種制御情報を制御部９に出力する。
出力処理部５は、制御部９の制御に従って、ビデオデコーダ４から入力する映像信号を表示装置７に表示したり、ビデオデコーダ４から入力する音声信号を音声出力装置６に出力したり、制御部９から指定されたユーザ操作受付用のメニュー画面を表示装置７に表示したり、制御部９から指定された操作案内音声を音声出力装置６に出力する処理を行う。
【００１７】
また、復調部３は、フロントエンド部２の受信電界強度などを参照して、現在の受信チャネルの受信信号のC/N（Carrier to Noise Ratio;搬送波電力対雑音電力比）や、BER（Bit Error Rate;ビット誤り率）や、受信信号に対するOFDM、(Orthogonal Frequency Division Multiplexing)の同期確立の有無を受信信号の受信状態として測定し制御部９に通知する。
【００１８】
次に、本実施形態において、メモリ１０に格納するプリセットテーブルについて説明する。
図２ａに示すようにプリセットテーブルには、１から１２までのプリセット番号が登録された１２のエントリを有し、各エントリには、それぞれ一つの放送局の情報が登録されている。すなわち、各エントリには、当該エントリには放送局の放送局名（NID：Network_Identification)、放送局の系列（番組供給系列/ネットワーク）を表す系列ID（Affiliation ID)、放送局の放送を行っている各周波数チャネル（すなわち、放送局の各中継局の周波数チャネル）のうちの現在受信可能な一つの周波数チャネルを表す現用周波数チャネル、放送局の放送を行っている各周波数チャネル（すなわち、放送局の各中継局の周波数チャネル）を表す中継局周波数チャネル、オンまたはオフの値を設定することができるスキップ済フラグが登録される。
【００１９】
ここで、このようなプリセットテーブルの各エントリの初期設定は、制御部９が、次のようにして行う。
すなわち、放送受信機の初期設定時に、フロントエンド部２に各周波数チャネルをスキャンさせて、各プリセット番号について、当該プリセット番号と等しいRemote_Control_Key_IDを含む周波数チャネルのうちの復調部３から通知される受信状態が最も良好な放送を行っている周波数チャネルを探索し、当該プリセット番号のエントリに、探索した周波数チャネルを現用周波数チャネルに設定すると共に、当該現用周波数チャネルの放送に含まれる放送局名、系列ID、中継局周波数チャネルを登録する。ここで、このようなプリセットテーブルの各エントリの初期設定において、各プリセット番号のエントリの、スキップ済フラグにはオフを設定する。
【００２０】
ここで、Remote_Control_Key_IDは、放送局の指定する、当該放送局の放送を割り当てるべきキー番号の値を表すものである。また、NIDやRemote_Control_Key_IDや中継局周波数チャネルは、各周波数チャネルのTS中のNITに、系列IDはTS中のBITに含まれる。
【００２１】
ただし、各放送局と系列との対応をメモリ１０に登録しておき、制御部９において、これに基づいて、各放送局に対応する系列IDを取得するようにしてもよい。
次に、本実施形態において、メモリ１０に格納するスキップフラグテーブルについて説明する。
図２ｂに示すように、スキップフラグテーブルには、オンまたはオフの値を設定することができるスキップフラグ、フラグ設定日時を登録することができる。
ここで、スキップフラグの初期値はオフとする
以下、このような放送受信機において、制御部９が放送の受信を制御するために行う受信制御処理について説明する。
図３ａに、この受信制御処理の手順を示す。
図示するように、この処理では、受信対象プリセット番号変更操作の発生（ステップ３０２）と、現在受信している周波数チャネルのＴ秒（たとえば、１０秒）以上の受信不良の発生（ステップ３０４）を監視する。
ここで、ステップ３０２において、受信対象プリセット番号変更操作は、ユーザの入力装置８に対する現在の受信対象プリセット番号以外の、特定のプリセット番号の指定操作によって受け付ける。なお、現在の受信対象プリセット番号とは、現在、フロントエンド部２に指定している受信チャネルが現用周波数チャネルとして登録されているプリセット番号である。
【００２２】
また、ステップ３０４において、現在受信している周波数チャネルの受信不良は、復調部３から通知される受信状態に基づいて判定する。
そして、受信対象プリセット番号変更操作が発生したならば（ステップ３０２）、各部の受信チャネルの受信や出力の動作を停止した上（ステップ３０６）、図３ｂに示す受信チャネル切替処理を実行し（ステップ３０８）、受信チャネル切替処理が終了したならばステップ３０２、３０４の監視に戻る。
【００２３】
一方、Ｔ秒以上の受信不良が発生（ステップ３０４）した場合には、各部の受信チャネルの受信や出力の動作を停止した上（ステップ３１０）、図４ａに示す中継局サーチ処理を実行し（ステップ３１２）、中継局サーチ処理が終了したならばステップ３０２、３０４の監視に戻る。
【００２４】
次に、受信制御処理のステップ３１０で実行される中継局サーチ処理について説明する。
図４ａに示すように中継局サーチ処理では、プリセットテーブルの受信対象プリセット番号のエントリの中継局周波数チャネルに登録されている各周波数チャネルの受信状態を、良好な受信状態で受信可能な周波数チャネルが発見されるまで（ステップ４０４）、順次、調査する（ステップ４０２）。
【００２５】
なお、周波数チャネルの受信状態は、フロントエンド部２に、その周波数チャネルの受信を行わせ、これにより復調部３から通知される、その周波数チャネルの受信状態を取得することにより行う。
そして、プリセットテーブルの受信対象プリセット番号のエントリの中継局周波数チャネルに登録されている各周波数チャネルのうちに、良好な受信状態で受信可能な周波数チャネルが発見されたならば（ステップ４０４）、プリセットテーブルの受信対象プリセット番号のエントリの現用周波数チャネルを、発見された周波数チャネルに更新した上で（ステップ４１０）、プリセットテーブルの受信対象プリセット番号のエントリの現用周波数チャネルに、フロントエンド部２に指定する受信チャネルを変更し（ステップ４１２）、各部の受信チャネルの受信や出力の動作を再開させる（ステップ４１４）ことにより、発見した中継局の周波数チャネルの受信出力を開始し、中継局サーチ処理を終了する。
【００２６】
一方、プリセットテーブルの受信対象プリセット番号のエントリの中継局周波数チャネルに登録されている各周波数チャネルのうちに、良好な受信状態で受信可能な周波数チャネルが発見できなかった場合には（ステップ４０６）、図４ｂに示す系列局サーチ処理を実行し（ステップ４０８）、系列局サーチ処理が終了したならば中継局サーチ処理を終了する。
【００２７】
次に、中継局サーチ処理のステップ４０８で実行する系列局サーチ処理について説明する。
図４ｂに示すように、系列局サーチ処理では、（放送が行われている）全ての周波数チャネルの受信状態を、プリセットテーブルの受信対象プリセット番号のエントリの系列IDと同じ系列IDの周波数チャネルであって、良好な受信状態で受信可能な周波数チャネル（以下、「受信状態良好な系列局の周波数チャネル」）が発見されるまで（ステップ４５４）、順次、調査する（ステップ４５２）。
【００２８】
そして、受信状態良好な系列局の周波数チャネルが発見できなかった場合には（ステップ４５６）、そして、各部の受信チャネルの受信や出力の動作を再開させ（ステップ４７４）、系列局サーチ処理を終了する。
一方、受信状態良好な系列局の周波数チャネルが発見されたならば（ステップ４５４）、系列局サーチ処理の呼び出し元が中継局サーチ処理であるか否かを判定する（ステップ４５８）。
【００２９】
ここで、系列局サーチ処理は、図４ａに示した中継局サーチ処理のステップ４０８で実行される場合の他、図３ｂに示す受信チャネル切替処理の後述するステップ３６２で行われる場合があり、図４ａに示した中継局サーチ処理のステップ４０８で実行される場合に系列局サーチ処理の呼び出し元は中継局サーチ処理となり、受信チャネル切替処理の後述するステップ３６２で行われる場合に系列局サーチ処理の呼び出し元は受信チャネル切替処理となる。
【００３０】
そして、系列局サーチ処理の呼び出し元が中継局サーチ処理であれば（ステップ４５８）、スキップフラグテーブルのスキップフラグをオンに設定し、フラグ設定日時を現在日時に更新する（ステップ４６０）。
そして、次に、プリセットテーブルの全エントリのスキップ済フラグをオフにクリアする（ステップ４６２）。
【００３１】
そして、発見された受信状態良好な系列局の周波数チャネルに、プリセットテーブルの受信対象プリセット番号のエントリの現用周波数チャネルを更新する。また、発見された受信状態良好な系列局の周波数チャネルの放送に含まれる放送局名、系列ID、中継局周波数チャネルに、プリセットテーブルの受信対象プリセット番号のエントリの放送局名、系列ID、中継局周波数チャネルを更新する（ステップ４６４）。
【００３２】
次に、プリセットテーブルの受信対象プリセット番号のエントリのスキップ済フラグをオンに設定する（ステップ４６６）。
そして、プリセットテーブルの全てのプリセット番号のエントリのスキップ済フラグがオンに設定されたかどうかを調べ（ステップ４６８）、設定されていない場合には、そのままステップ４７２に進み、設定されている場合にはスキップフラグテーブルのスキップフラグをオフに設定した上で（ステップ４７０）、ステップ４７２に進む。
そして、ステップ４７２に進んだならば、プリセットテーブルの受信対象プリセット番号のエントリの現用周波数チャネルに、フロントエンド部２に指定する受信チャネルを変更する。そして、各部の受信チャネルの受信や出力の動作を再開させる（ステップ４７４）ことにより、発見した系列局の周波数チャネルの受信出力を開始し、系列局サーチ処理を終了する。
【００３３】
一方、ステップ４５８で、系列局サーチ処理の呼び出し元が中継局サーチ処理でないと判定された場合、すなわち、系列局サーチ処理の呼び出し元が受信チャネル切替処理である場合には、ステップ４６０-４６２を行うことなく、上述したステップ４６４-４７４の処理を行って系列局サーチ処理を終了する。
【００３４】
次に、図３ａの受信制御処理のステップ３０８で実行される受信チャネル切替処理について説明する。
図３ｂに示すように、受信チャネル切替処理では、まず、受信対象プリセット番号を、図３ａの受信制御処理のステップ３０２で受け付けた受信対象プリセット番号変更操作によって指定された変更後のプリセット番号に更新する（ステップ３５２）。
そして、スキップフラグテーブルのスキップフラグがオンに設定されているかどうかを調べ（ステップ３５４）、設定されていなければ、プリセットテーブルの受信対象プリセット番号のエントリの現用周波数チャネルに、フロントエンド部２に指定する受信チャネルを変更し（ステップ３５６）、各部の受信チャネルの受信や出力の動作を再開させる（ステップ３５８）ことにより、受信対象プリセット番号変更操作によって指定された変更後のプリセット番号の現用周波数チャネルの受信出力を開始し、受信チャネル切替処理を終了する。
【００３５】
一方、スキップフラグテーブルのスキップフラグがオンに設定されている場合には（ステップ３５４）、プリセットテーブルの受信対象プリセット番号のエントリに登録されているスキップ済フラグがオンに設定されているかどうかを調べ（ステップ３６０）、オンに設定されていれば、上述したステップ３５６-３５８の処理を行って、受信対象プリセット番号変更操作によって指定された変更後のプリセット番号の現用周波数チャネルの受信出力を開始し、受信チャネル切替処理を終了する。
【００３６】
一方、プリセットテーブルの受信対象プリセット番号のエントリに登録されているスキップ済フラグがオンに設定されていない場合には（ステップ３６０）、図４ｂの上述した系列局サーチ処理を実行し（ステップ３６２）、系列局サーチ処理が終了したならば、受信チャネル切替処理を終了する。
以上、制御部９が放送の受信を制御するために行う受信制御処理について説明した。
なお、制御部９は、以上の処理の他、スキップフラグテーブルに登録されているフラグ設定日時が、あまりに古い日時（たとえば、数ヶ月前）となった場合には、スキップフラグやプリセットテーブルの各エントリのスキップ済フラグを全てオフに設定する処理も行うようにしてもよい。
このような受信制御処理の処理例を図５に示す。
ここで、我が国においては、各放送局の放送エリアは、放送送信所を複数の放送局で共用している等の理由により、およそ複数のエリアに共通化されている。いま、ここでは、放送エリアとして、「東京エリア」と、「東京エリア」に隣接する「茨城エリア」が存在するものとして説明を行う。
【００３７】
さて、いま、スキップフラグはオフに設定されており、各プリセット番号に対してスキップ済フラグがオフに設定されている状態において、図示するように、プリセットテーブルのプリセット番号１に対して放送局「ＭＨＫ総合 東京」が登録され、プリセット番号２に対して放送局「ＭＨＫ教育 東京」が登録され、プリセット番号１２に対して放送局「テレビ日本 東京」が登録されておりプリセット番号１の放送局「ＭＨＫ総合 東京」を受信中の場合を想定する。
【００３８】
この場合において、自動車が東京エリアから茨城エリアに移動すると、放送局「ＭＨＫ総合 東京」の放送の受信不良（５０１）がＴ秒以上発生する。すると、まず、中継局サーチが行われ（５０２）、「ＭＨＫ総合 東京」の放送を行っている他の中継局のサーチが行われる。ここでは、既に茨城エリアに移動しているので、「ＭＨＫ総合 東京」の放送を行っている他の中継局が見つからず、引き続き、放送局「ＭＨＫ総合 東京」と同系列の他の放送局である系列局のサーチが行われ（５０３）、茨城エリアにおける「ＭＨＫ総合 東京」と同系列の放送局である「ＭＨＫ総合 水戸」が発見され、プリセット番号１の放送局が「ＭＨＫ総合 水戸」に更新されると共に、受信する放送局が「ＭＨＫ総合 水戸」に切り替わる（５０４）。また、このときに、スキップフラグがオンにセットされると共に、プリセット番号１のスキップ済フラグがオンに、他の全てのプリセット番号のスキップ済フラグがオフに設定される。
【００３９】
その後、ユーザがプリセット番号２への受信プリセット番号変更操作（５０５）を行うと、スキップフラグがオンに設定されており、かつ、プリセット番号２のスキップ済フラグはオフであるので、即座に、プリセット番号２に登録されている「ＭＨＫ教育 東京」と同系列の他の放送局である系列局のサーチが行われ（５０６）、茨城エリアにおける「ＭＨＫ教育 東京」と同系列の放送局である「ＭＨＫ教育 水戸」が発見され、プリセット番号２の放送局が「ＭＨＫ教育 水戸」に更新されると共に、受信する放送局が「ＭＨＫ教育  水戸」に切り替わる（５０７）。また、このとき、プリセット番号２のスキップ済フラグがオンに設定される。
【００４０】
次に、ユーザがプリセット番号１２への受信プリセット番号変更操作（５０８）を行った場合も同様であり、この時点では、スキップフラグがオンに設定されており、かつ、プリセット番号１２のスキップ済フラグがオフであるので、即座に、プリセット番号１２に登録されている「テレビ日本 東京」と同系列の他の放送局である系列局のサーチが行われ（５０９）、茨城エリアにおける「テレビ日本 東京」と同系列の放送局である「テレビ日本 水戸」が発見され、プリセット番号１２の放送局が「テレビ日本 水戸」に更新されると共に、受信する放送局が「テレビ日本 水戸」に切り替わる（５１０）。また、このとき、プリセット番号１２のスキップ済フラグがオンに設定される。
【００４１】
なお、もし、この直後に、ユーザがプリセット番号１やプリセット番号２への受信プリセット番号変更操作を行った場合には、この時点では、スキップフラグがオンに設定されているが、プリセット番号１やプリセット番号２のスキップ済フラグはオンに設定されているので、系列局のサーチは行われず、受信する放送局が、その時点でプリセット番号１やプリセット番号２に登録されている放送局に切り替わることとなる。
【００４２】
さて、以上のように、自動車が東京エリアから茨城エリアに移動した後の最初のＴ秒以上の受信不良発生、及び、中継局サーチの失敗によって、受信中の放送局の系列局への切替が一度発生した以降は、受信プリセット番号変更操作が行われた時点で、即座に変更先のプリセット番号の放送局についての系列局のサーチが開始される。ここで、あるプリセット番号に登録されている放送局の受信中に中継局サーチの失敗が発生して、系列局サーチにより受信する放送局が他の系列局に切り替えられた場合は、自動車が放送エリアを移動したことが確実に見込める場合であり、したがって、他のプリセット番号に登録されている放送局についても、その放送局の放送エリア外に移動しており、当該放送局の受信を行ってもＴ秒以上の受信不良生じ、当該放送局の中継局サーチも失敗する蓋然性が大きい。
【００４３】
よって、本発明によれば、受信プリセット番号変更操作を受け付けたときに、変更先のプリセット番号の放送局の放送エリア内に位置していない場合に、受信不良の検出や中継局サーチに時間を要することなく、プリセット番号に登録されていた放送局の系列局の受信を、よりすみやかに開始できるようになる。
【００４４】
以上、本発明の実施形態について説明した。
ところで、以上の実施形態は、図１ｂに示すように、フロントエンド部２と復調部３とより構成されるチューナ部１００を複数備えるとともに、複数のチューナ部１００の一部をフォアグランドチューナ部として受信チャネルの放送の受信、出力に用いるように制御するダイバシティ受信制御部１１を備える放送受信機にも適用することができる。なお、図１ｂに示した放送受信機における上述した受信チャネルは、フォアグランドチューナ部のフロントエンド部２に当該フロントエンド部２が受信する周波数チャネルとして設定される周波数チャネルである。
【００４５】
また、この場合には、制御部９において、受信制御処理、中継局サーチ処理、系列局サーチ処理、受信チャネル切替処理を以下のように行うようにしてもよい。
すなわち、受信制御処理では、図３ａに示した受信制御処理のステップ３０６、３１０を廃して、フォアグランドチューナ部を用いた受信チャネルの受信、出力を停止することなく継続したまま、ステップ３０８の受信チャネル切替処理と、ステップ３１２の中継局サーチ処理を実行するようにする。
【００４６】
また、図４ａの中継局サーチ処理は、ステップ４０２の各中継局周波数チャネルの調査を複数のチューナ部１００のうちのフォアグランドチューナ部を除くチューナ部１００であるバックグランドチューナ部を用いて行うようにすると共に、中継局サーチ処理のステップ４１４を廃し、ステップ４１２実行後は、そのまま中継局サーチ処理を終了するようにする。
【００４７】
図４ｂの系列局サーチ処理は、ステップ４５２の周波数チャネルの調査をバックグランドチューナ部を用いて行うようにすると共に、ステップ４５８を廃して、ステップ４５４で受信状態良好な系列局の受信チャネルが発見された場合にはステップ４６０に無条件に進むようにする。また、ステップ４７４の処理を廃し、ステップ４５６で受信状態良好な系列局の周波数チャネルが発見できなかった場合や、ステップ４７２の実行後は、そのまま系列局サーチ処理を終了するようにする。
【００４８】
また、プリセットテーブルのスキップ済フラグを廃し、系列局サーチ処理のステップ４６０ではスキップフラグの設定のみを行い、スキップ済フラグに関するステップ４６２、４６６-４７０の処理は、これを行わないようにする。
【００４９】
そして、受信チャネル切替処理を図６ａに示すように行うようにする。
すなわち、受信チャネル切替処理では、まず、受信対象プリセット番号を、図３ａの受信制御処理のステップ３０２で受け付けた受信対象プリセット番号変更操作によって指定された変更後のプリセット番号に更新する（ステップ６０２）。
そして、スキップフラグテーブルのスキップフラグがオンに設定されているかどうかを調べ（ステップ６０４）、設定されていなければ、プリセットテーブルの受信対象プリセット番号のエントリの現用周波数チャネルに、フォアグランドチューナ部のフロントエンド部２に指定する受信チャネルを変更（ステップ６０６）することにより、受信対象プリセット番号変更操作によって指定された変更後のプリセット番号の現用周波数チャネルの受信出力を開始し、受信チャネル切替処理を終了する。
【００５０】
一方、スキップフラグテーブルのスキップフラグがオンに設定されている場合には（ステップ６０４）、各部の受信チャネルの放送の受信出力動作を停止し（ステップ６０８）、バックグランドスキャン処理を起動した上で（ステップ６１０）、フォアグランド系列局サーチ処理を実行し（ステップ６１２）、フォアグランド系列局サーチ処理が終了したならば、受信チャネル切替処理を終了する。
【００５１】
ここで、ステップ６１２で実行するフォアグランド系列局サーチ処理は、先に図４ｂに示した系列局サーチ処理と同様の処理である。ただし、フォアグランド系列局サーチ処理では、図４ｂの、ステップ４５２の周波数チャネルの調査をフォアグランドチューナ部を用いて行うようにすると共に、ステップ４５８、４６０、４６２、４６６、４６８、４７０の処理を廃して、ステップ４５４で受信状態良好な系列局の受信チャネルが発見された場合にはステップ４６４-４７２-４７４の処理を行って、フォアグランド系列局サーチ処理を終了するようにする。
【００５２】
次に、受信チャネル切替処理のステップ６１０で起動されるバックグランドスキャン処理の手順を図６ｂに示す。
図示するように、バックグランドスキャン処理では、まず、バックグランドチューナ部を用いて、（放送が行われている）全ての周波数チャネルの受信状態と、各周波数チャネルで送信されるRemote_Control_Key_ID、放送局名、系列ID、中継局周波数チャネルを調査する（ステップ６５２）。
【００５３】
そして、受信対象プリセット番号以外の各プリセット番号について、プリセットテーブルの当該プリセット番号のエントリの登録情報を更新する。すなわち、各プリセット番号のエントリについて、当該エントリのプリセット番号と等しいRemote_Control_Key_IDを含む周波数チャネルのうちの受信状態が最も良好であった周波数チャネルを現用周波数チャネルとして設定すると共に、当該現用周波数チャネルから取得した放送局名、系列ID、中継局周波数チャネルを登録する（ステップ６５４）。
【００５４】
そして、スキップフラグテーブルのスキップフラグをオフに設定し（ステップ６５６）、バックグランドスキャン処理を終了する。
ここで、以上のように受信制御処理、中継局サーチ処理、系列局サーチ処理、受信チャネル切替処理を行った場合の処理例を図７に示す。
さて、いま、スキップフラグはオフに設定されており、図示するように、フォアグランドチューナ部でプリセット番号１に登録されている放送局「ＭＨＫ総合 東京」を受信中に、自動車が東京エリアから茨城エリアに移動すると、放送局「ＭＨＫ総合 東京」の放送の受信不良（７０１）がＴ秒以上発生する。
【００５５】
すると、フォアグランドチューナ部の「ＭＨＫ総合 東京」の受信出力を継続したまま、バックグランドチューナ部で中継局サーチが行われ（７０２）、「ＭＨＫ総合 東京」の放送を行っている他の中継局のサーチが行われる。ここでは、既に茨城エリアに移動しているので、「ＭＨＫ総合 東京」の放送を行っている他の中継局が見つからず、引き続き、バックグランドチューナ部で、放送局「ＭＨＫ総合 東京」と同系列の他の放送局である系列局のサーチが行われ（７０３）、茨城エリアにおける「ＭＨＫ総合 東京」と同系列の放送局である「ＭＨＫ総合 水戸」が発見され、プリセット番号１に登録される放送局、及び、フォアグランドチューナ部で受信し出力する放送局が「ＭＨＫ総合 水戸」に変更される（７０４）。また、このときに、スキップフラグがオンにセットされる。なお、バックグランドチューナ部で中継局サーチ、系列局サーチを行っている期間中も、フォアグランドチューナ部の「ＭＨＫ総合 東京」の受信出力は継続されているので、フォアグランドチューナ部の「ＭＨＫ総合 東京」の受信状態が復帰すれば、当該「ＭＨＫ総合 東京」の出力が行われることとなる。
【００５６】
その後、ユーザがプリセット番号２への受信プリセット番号変更操作（７０５）を行うと、この時点では、スキップフラグがオンに設定されているので、フォアグランドチューナ部で、プリセット番号２に登録されている「ＭＨＫ教育 東京」と同系列の他の放送局である系列局のサーチが開始されると共に（７０６）、バックグランドチューナ部で、バックグランドスキャン処理（７０７）が開始される。
【００５７】
そして、フォアグランドチューナ部の系列局のサーチによって、茨城エリアにおける「ＭＨＫ教育 東京」と同系列の放送局である「ＭＨＫ教育 水戸」が発見され、プリセット番号２に登録される放送局、及び、フォアグランドチューナ部で受信し出力する放送局が「ＭＨＫ教育 水戸」に変更される（７０８）。
【００５８】
一方で、フォアグランドチューナ部の以上の動作と並行して、バックグランドチューナ部によるバックグランドスキャン処理によって、プリセット番号２以外の各プリセット番号に登録する放送局が、現時点において良好に受信できる放送局への更新が行われ、更新が完了するとスキップフラグがオフに設定される。
【００５９】
そして、その後に、ユーザがプリセット番号１２への受信プリセット番号変更操作（７０９）を行うと、この時点では、スキャンフラグはオフに設定されているので、バックグランドスキャン処理によって、プリセット番号１２に登録された「テレビ日本 水戸」に、フォアグランドチューナ部で受信する放送局が変更される（７１０）。ここで、この時点で、プリセット番号１２に登録された「テレビ日本 水戸」は、茨城エリアに移動した後に行ったバックグランドスキャン処理によって発見された良好に受信できる放送局であるので、「テレビ日本 水戸」は現時点においても良好に受信できることが期待できる。
【００６０】
よって、図５と図７との比較よりも理解されるように、このように受信制御処理、中継局サーチ処理、系列局サーチ処理、受信チャネル切替処理を行うことにより、以上のように、放送エリアを移動した後の最初のＴ秒以上の受信不良発生、及び、中継局サーチの失敗によって、受信中の放送局の系列局への切り替えが一度発生した以降の、１回目の受信プリセット番号変更操作（図５の５０５、図７の７０５）が行われたときの放送（図では「ＭＨＫ教育 水戸」）の受信開始に要する時間は、図５の場合と同様となるが、２回目以降の受信プリセット番号変更操作（図５の５０８、図７の７０９）が行われた時点では、放送（図では「テレビ日本 水戸」）の受信が即座に、図５の場合に比べよりすみやかに開始するようになる。
【００６１】
以上、本発明の実施形態について説明した。
【符号の説明】
【００６２】
１…アンテナ、２…フロントエンド部、３…復調部、４…ビデオデコーダ、５…出力処理部、６…音声出力装置、７…表示装置、８…入力装置、９…制御部、１０…メモリ、１１…ダイバシティ受信制御部、１００…チューナ部。
【図１】
2014022910.tif 000003
【図２】
2014022910.tif 000004
【図３】
2014022910.tif 000005
【図４】
2014022910.tif 000006
【図５】
2014022910.tif 000007
【図６】
2014022910.tif 000008
【図７】
2014022910.tif 000009